(57)【特許請求の範囲】
【請求項１】
往復運動する可動体に人体の爪部の甘皮を押さえる甘皮押さえ部材を甘皮押さえ部材が甘皮押さえ部材の長手方向に往復運動するように設け、長手方向に往復運動する甘皮押さえ部材に甘皮押さえ部材の往復運動方向と直交する方向に突出する甘皮押さえ突起を設けて成ることを特徴とする爪磨き器。
【請求項２】
甘皮押さえ部材に設ける甘皮押さえ突起として甘皮押さえ部材の先端で上記往復運動方向に突出する第１甘皮押さえ突起と甘皮押さえ部材の側部で上記往復運動方向と直交する方向に突出する第２甘皮押さえ突起を設けて成ることを特徴とする請求項１記載の爪磨き器。
【請求項３】
第１甘皮押さえ突起の先端を丸くしたことを特徴とする請求項２記載の爪磨き器。
【請求項４】
甘皮押さえ突起の先端を平坦状または丸状または鋭角状にして成ることを特徴とする請求項１または請求項２記載の爪磨き器。
【発明の詳細な説明】
【０００１】
【発明の属する技術分野】
本発明は、人体の指等の爪の手入れのための電動式の爪磨き器に関し、詳しくは爪の甘皮を押さることで爪の手入れをする構造に関するものである。
【０００２】
【従来の技術】
従来のこの種の電動式の爪磨き器としては先に本特許出願人が特開平１−２１２５０７号として出願したものがある。これは爪磨き器本体のヘッド部に爪磨き器本体の長手方向に往復運動する可動体を設け、この可動体に甘皮押さえ部材をアタッチメントとして取り付け、甘皮押さえ部材の先端に可動体の往復方向に突出する甘皮押さえ突起を設けてある。そして可動体で甘皮押さえ部材を往復させ、甘皮押さえ突起の先端で甘皮を押す作業を行うようになっている。
【０００３】
【発明が解決しようとする課題】
ところが、上記従来例にあっては、甘皮押さえ突起の突出する方向と甘皮押さえ部材の往復方向が同じであり、甘皮押さえ突起が甘皮に直交するように移動して押さえる仕様のため甘皮の手入れの粗仕上げしかできないのが現状である。つまり、甘皮をソフト且つ微小量づつ押して手入れする細かい奇麗な仕上げができない。また上記の場合、甘皮押さえ突起が甘皮に深く食い込むおそれがあって手入れ時に痛みを発生するという危険がある。
【０００４】
本発明は叙述の点に鑑みてなされたものであって、甘皮押しの細かい奇麗な仕上げもソフトに危険なしにできる爪磨き器を提供するにある。
【０００５】
【課題を解決するための手段】
上記課題を解決するため本発明の爪磨き器は、往復運動する可動体に人体の爪部の甘皮を押さえる甘皮押さえ部材３を甘皮押さえ部材３が甘皮押さえ部材３の長手方向に往復運動するように設け、長手方向に往復運動する甘皮押さえ部材３に甘皮押さえ部材３の往復運動方向と直交する方向に突出する甘皮押さえ突起４を設けて成ることを特徴とする。このようにしたことで甘皮押さえ突起４を甘皮２と平行な方向に往復運動させて甘皮２を徐々に押すことができるものであって、甘皮２への当て荷重は手で調整できるために無理に甘皮２を押すことなく、微調整しながら甘皮２を押すことができ、甘皮押しの手入れの仕上がりが奇麗になり、また甘皮２のめくり上がりや痛みの危険がなくなる。
【０００６】
また甘皮押さえ部材３に設ける甘皮押さえ突起４として甘皮押さえ部材３の先端で上記往復運動方向に突出する第１甘皮押さえ突起４ａと甘皮押さえ部材３の側部で上記往復運動方向と直交する方向に突出する第２甘皮押さえ突起４ｂを設けて成ることを特徴とすることも好ましい。この場合、第１甘皮押さえ突起４ａで甘皮２を甘皮２と直交する方向に押して甘皮押しができ、また第２甘皮押さえ突起４ｂを甘皮２と平行な方向に往復運動させて甘皮押しができる。このため、第１甘皮押さえ突起４ａにて甘皮押しの粗仕上げができ、第２甘皮押さえ突起４ｂにて甘皮押しの細かい奇麗な仕上げができ、甘皮２の手入れが効率よく且つ円滑にできる。
【０００７】
また第１甘皮押さえ突起４ａの先端を丸くしたことを特徴とすることも好ましい。この場合、第１甘皮押さえ突起４ａの先端がソフトに接触して甘皮２や皮膚が傷付かないようにできる。
また甘皮押さえ突起４の先端を平坦状または丸状または鋭角状にして成ることを特徴とすることも好ましい。甘皮押さえ突起４の先端を平坦状とすると甘皮２にソフトに当てることができ、また甘皮押さえ突起４の先端を丸状または鋭角状にすると甘皮押しの作業がしやすくなる。
【０００８】
【発明の実施の形態】
図１に示すように爪磨き器本体５は棒状であって、先端部にヘッド部５ａを有すると共に基部にグリップ部５ｂを有し、グリップ部５ｂには駆動の操作スイッチ６を設けてある。この爪磨き器本体５の構造は特開平１−２１２５０７号のものと基本的に同じであるので詳しい説明は省略する。爪磨き器本体５のヘッド部５ａ内には往復駆動される可動体を内装してあり、ヘッド部５ａの下面に爪手入れ用の各種アタッチメントを配置して可動体に着脱自在に取り付けることができるようになっている。そして本発明の場合、甘皮押しの手入れをするアタッチメントとして矩形板状の甘皮押さえ部材３を取り付けてある。この甘皮押さえ部材３の側面には甘皮押さえ部材３や可動体の往復運動方向（図１の矢印Ａ方向）と直交する方向に突出する甘皮押さえ突起４を突設してある。この甘皮押さえ突起４の先端部は平面から見て符号Ｒで示すような所定の曲率の丸状になっていると共に側面からみて符号Ｒ′に示すような所定の曲率の丸状になっている。しかして図２に示すように指７の爪部１において甘皮押さえ突起４の先端を甘皮２に当てた状態で甘皮押さえ部材３を往復駆動することで甘皮２を押すことができる。このとき甘皮押さえ突起４を甘皮２と平行な方向に往復運動させて甘皮２を徐々に押すことができるものであって、甘皮２への当て荷重は手で調整できるために無理に甘皮２を押すこなく、微調整しながら甘皮２を押すことができ、甘皮押しの手入れの仕上がりが奇麗になり、また甘皮２のめくり上がりや痛みの危険がなくなる。
【０００９】
図３乃至図５は実施の形態の他例を示すものである。本例の場合、甘皮押さえ部材３の甘皮押さえ突起４として、甘皮押さえ部材３の先端から甘皮押さえ部材３の往復運動方向に突出する第１甘皮押さえ突起４ａと、甘皮押さえ部材３の両側から甘皮押さえ部材３の往復運動方向と直交する方向に突出する第２甘皮押さえ突起４ｂを設けてある。この場合、図４に示すように第１甘皮押さえ突起４ａで甘皮２を甘皮２と直交する方向に押して甘皮押しができ、また図５に示すように第２甘皮押さえ突起４ｂを甘皮２と平行な方向に往復運動させて甘皮押しができる。このため、第１甘皮押さえ突起４ａにて甘皮押しの粗仕上げができ、第２甘皮押さえ突起４ｂにて甘皮押しの細かい奇麗な仕上げができ、甘皮２の手入れが効率よく且つ円滑にできる。図６は図３乃至図５の例の変形例を示すものである。この場合第１甘皮押さえ突起４ａと第２押さえ突起４ｂを一体に繋いだものであり、図６（ａ）（ｂ）（ｃ）（ｄ）の種々の形状のものが考えられる。
【００１０】
また図７は甘皮押さえ突起４の形状を示すものである。図７（ａ）の場合、甘皮押さえ突起４の先端部が平坦面になっており、図７（ｂ）の場合、甘皮押さえ突起４の先端部が符号Ｒに示す丸状になっており、図７（ｃ）の場合、甘皮押さえ突起４の先端部が符号αに示す角度の鋭角状になっている。そしてこれらのものはいずれも稜線に符号ｒに示す小さい曲率の面取りを施してある。甘皮押さえ突起４の先端部は図７（ａ）のように平坦の方が甘皮２に対するソフト感があるが、図７（ｂ）（ｃ）のように丸状や鋭角状の方が甘皮押しの作業性がよくなる。
【００１１】
【発明の効果】
本発明は、往復運動する可動体に人体の爪部の甘皮を押さえる甘皮押さえ部材を甘皮押さえ部材が甘皮押さえ部材の長手方向に往復運動するように設け、長手方向に往復運動する甘皮押さえ部材に甘皮押さえ部材の往復運動方向と直交する方向に突出する甘皮押さえ突起を設けているので、甘皮押さえ突起を甘皮と平行な方向に往復運動させて甘皮を徐々に押すことができるものであって、甘皮への当て荷重は手で調整できるために無理に甘皮を押すことなく、微調整しながら甘皮を押すことができ、甘皮押しの手入れの仕上がりが奇麗になり、また甘皮のめくり上がりや痛みの危険がなくなるものである。
【００１２】
また本発明の請求項２の発明は、請求項１において、甘皮押さえ部材に設ける甘皮押さえ突起として甘皮押さえ部材の先端で上記往復運動方向に突出する第１甘皮押さえ突起と甘皮押さえ部材の側部で上記往復運動方向と直交する方向に突出する第２甘皮押さえ突起を設けているので、第１甘皮押さえ突起で甘皮を甘皮と直交する方向に押して甘皮押しができ、また第２甘皮押さえ突起を甘皮と平行な方向に往復運動させて甘皮押しができるものであって、第１甘皮押さえ突起にて甘皮押しの粗仕上げができ、第２甘皮押さえ突起にて甘皮押しの細かい奇麗な仕上げができ、甘皮の手入れが効率よく且つ円滑にできるものである。
【図面の簡単な説明】
【図１】本発明の実施の形態の一例の斜視図である。
【図２】同上の甘皮押しをしている状態で、（ａ）は平面図、（ｂ）は正面図、（ｃ）は斜視図である
【図３】同上の他例の斜視図である。
【図４】同上の第１甘皮押さえ突起で甘皮押しをしている状態の斜視図である。
【図５】同上の第２甘皮押さえ突起で甘皮押しをしている状態の斜視図である。
【図６】同上の第１甘皮押さえ突起や第２甘皮押さえ突起の変形例を示し、（ａ）（ｂ）（ｃ）（ｄ）は夫々異なる形状のものの平面図である。
【図７】（ａ）（ｂ）（ｃ）は同上の甘皮押さえ突起の形状を説明する斜視図である。
【符号の説明】
１  爪部
２  甘皮
３  甘皮押さえ部材
４  甘皮押さえ突起
４ａ  第１甘皮押さえ突起
４ｂ  第２甘皮押さえ突起
【図１】
0003680468.tif 000002
【図２】
0003680468.tif 000003
【図３】
0003680468.tif 000004
【図４】
0003680468.tif 000005
【図５】
0003680468.tif 000006
【図６】
0003680468.tif 000007
【図７】
0003680468.tif 000008